(57)【特許請求の範囲】
【請求項１】
複数台の透析装置を備えた血液透析システムにおいて、
Ａ原液供給手段、
Ｂ原液供給手段
ＲＯ水を作製するＲＯ装置、
Ａ原液供給手段及びＢ原液供給手段が接続され、透析液を作製する多人数用透析液供給装置、
前記多人数用透析液供給装置に設けられた当該装置の故障を検知する故障検知手段、
前記ＲＯ装置からのＲＯ水ラインと多人数用透析液供給装置からの透析液ラインとを切り替えるＲＯ水・透析液切替手段、
複数の個人用透析装置、及び
複数のダイアライザ
を備え、
前記個人用透析装置は
前記ＲＯ水・透析液切替手段と前記ダイアライザの透析液入口とを接続し第１送液ポンプを有する透析液供給ライン、
前記ダイアライザの透析液出口に接続され、第２送液ポンプを有する透析液廃液ライン、
前記Ａ原液供給手段に接続され、電磁弁が設けられたＡ原液ライン、
前記Ｂ原液供給手段から延び前記Ａ原液ラインに接続され、電磁弁が設けられたＢ原液ライン
前記Ａ原液ラインの前記透析液供給ラインとの前記接続点と前記Ｂ原液ラインとの接続点との間に設けられた原液ポンプ、及び
動脈側端から前記ダイアライザを経て静脈側端に血液を送る血液ポンプ、
からなり、
透析液供給が不可能になったことが前記故障検知手段により検知された場合、前記ＲＯ水・透析液切替手段によって当該多人数用透析液供給装置から前記ＲＯ装置にラインを切り替えて、前記個人用透析装置内でＡ原液、Ｂ原液、及びＲＯ水を混合して当該個人用透析装置が使用する透析液を作製することを特徴とする血液透析システム。
【請求項２】
前記多人数用透析液供給装置に少なくとも１台のコンソールが接続されていることを特徴とする請求項１記載の血液透析システム。
【発明の詳細な説明】
【技術分野】
【０００１】
本発明は、透析液を供給する多人数用透析液供給装置を備えた血液透析システムに関し、特に当該多人数用透析液供給装置が故障して透析液を供給することができなくなっても、患者に対して透析治療を継続することができる血液透析システムに関する。
【背景技術】
【０００２】
周知のとおり、患者の血液を浄化する血液透析装置は、コンソールと個人用透析装置とに大別することができる。
前者のコンソールは、透析液原液であるＡ原液、Ｂ原液と希釈水であるＲＯ水を所定の比率で混合して複数台分の透析液を作製する装置である多人数用透析液供給装置からの透析液の供給を受け、患者からの血液を血液ポンプでダイアライザに送り、半透膜を介して透析液と接触させ、血液を浄化する装置である。なお、コンソールは、前記したように多人数用透析液供給装置からの透析液の供給を受けて主に透析治療を行う装置であるが、血液濾過（ＥＣＵＭ）や補液ポンプを追加使用することにより血液濾過透析が可能であり、さらにはエンドトキシン・カット・フィルタを装着することによりオンラインＨＤＦも可能である。
【０００３】
後者の個人用透析装置は、上記のコンソールの機能に加え、透析液の調製機能を備えた装置である。すなわち、個人用透析装置は、前者のコンソールと異なり、自らの装置内でＡ原液、Ｂ原液、およびＲＯ水を混合して自らが使用する透析液を作成する。各施設により使われ方は異なるが、個人用透析装置の利点は、患者に適した透析や病室、ＩＣＵ、手術室等での透析が可能な点にあることから、処方透析や感染患者、透析室まで移動できない患者に対して利用されることが多い。
【０００４】
すなわち、コンソールと個人用透析装置の機能的な違いは、透析液の調製機能を備えるか否かである。前記したように後者の個人用透析装置は自らが使用する透析液を作成するので、患者に適した混合比で透析液を調製できる一方、装置数に応じた数のＡ原液供給手段とＢ原液供給手段を用意しなければならない。これに対して前者のコンソールの場合には、多人数用透析液供給装置が複数台分の透析液をまとめて作製するので管理が容易となり、コンソールの数の増大に対しても対応しやすい。
【０００５】
このため、多くの血液透析装置を必要とする透析センターや医療機関では、図９に例示する多人数用透析液供給装置４０と複数のコンソール７０から構成される、いわゆるセントラルシステムを構築する場合が多い。
一方、後者の個人用透析装置の場合は自らが透析液の調製機能を備えるので、多人数用透析液供給装置に接続されることは原則的に無く、したがってセントラルシステムに組み込まれることも原則的には無い。すなわち、個人用透析装置は各々が独立した形態で使用されるのが一般的である。なお、例外として非特許文献１には、コンソールとしても使用することができる個人用透析装置が開示されている。
【０００６】
ところで、血液透析治療に際しては透析液を用いるため、透析治療中に透析液の供給が止まるような事故は絶対に避けなければならない。特に複数のコンソールが接続されるセントラルシステムの場合には、多人数用透析液供給装置が複数台分の透析液をまとめて作製するので、当該多人数用透析液供給装置が故障して透析液を供給することができなくなるような事故は絶対に避けなければならない。
また、患者に対して事故のない安全な透析治療を提供する観点からは、たとえ多人数用透析液供給装置が故障して透析液を供給することができなくなっても、患者に対して透析治療を継続することができるバックアップ機能を備えておくべきである。
【０００７】
しかしながら、これまで透析治療中に多人数用透析液供給装置が故障することは極極稀であったし、仮に透析液の供給が停止したとしても患者の傍らにはこのような事態に速やかに対応できる医療従事者が待機していることから、これまでのところ安全の二重化を実現することが可能な血液透析システムは一切考案されてこなかった。
【０００８】
なお、前記したように非特許文献１にはコンソールとしても使用することができる個人用透析装置が開示されてはいるが、これはもともと個人用透析装置の使用頻度が必ずしも高いものとはいえないことから、個人用透析装置として使用する予定が無い場合には、コンソールとしても使用することができ、これにより個人用透析装置の稼働率を上げることができると言うものであって、多人数用透析液供給装置の故障による透析液の供給停止や、当該透析液の供給停止に伴う医療事故の発生を未然に防止するための安全対策を解決課題として想定しているものではない。
【非特許文献１】個人用ＨＤＦ装置ＮＤＦ−２１の使用経験、第１１回大阪府臨床工学技師会学術大会、http://www.soryu.jp/me/shouroku/shou21.htm
【発明の開示】
【発明が解決しようとする課題】
【０００９】
本発明の解決すべき課題は、患者に対して事故のない安全な透析治療を行うことができる血液透析システムを提供することであり、より具体的には、たとえ多人数用透析液供給装置が故障して透析液を供給することができなくなっても、患者に対して透析治療を継続することができる血液透析システムを提供することである。
【課題を解決するための手段】
【００１０】
本発明者は、前記課題を解決すべく様々な実験的検討および理論的検討を重ねた結果、以下の技術的知見を得た。
【００１１】
（Ａ）前記したように一般にセントラルシステムは、多人数用透析液供給装置と複数のコンソールから構成されるところ、コンソールは透析液の調製機能を機能的に備えていないので、多人数用透析液供給装置のバックアップ機を備えない限り、安全の二重化を達成し得ないこと。
【００１２】
（Ｂ）前記したように多人数用透析液供給装置に透析液の調製機能を備える個人用透析装置が接続されることは原則的に無く、したがって個人用透析装置がセントラルシステムに組み込まれることも原則的には無い。また、個人用透析装置をセントラルシステムに組み込むということは、個人用透析装置が本来的に備える透析液の調製機能を停止させて使用することになるから、仮に個人用透析装置をセントラルシステムに組み込むとしても、その目的は個人用透析装置の稼働率を上げること程度でしかない（例えば、非特許文献１参照）。
【００１３】
しかしながら、視点を変えると、個人用透析装置は本来的に透析液の調製機能を備えるのだから、図１に例示するようにコンソールの代わりに個人用透析装置５０を接続して、各々の個人用透析装置５０を、Ａ原液供給手段１０とＢ原液供給手段２０に接続するとともに流路切替手段６０を介して多人数用透析液供給装置４０とＲＯ装置３０に接続し、前記流路切替手段６０によって多人数用透析液供給装置４０とＲＯ装置３０からの流路を択一的に切替できる構造とすれば、多人数用透析液供給装置４０が故障して透析液を供給することができなくなっても、患者に対して透析治療を継続することができること。
【００１４】
より具体的には、多人数用透析液供給装置４０が正常である場合には、図２に示すように多人数用透析液供給装置４０から透析液の供給を受け、多人数用透析液供給装置４０が故障して透析液を供給することができなくなった場合には、図３に示すように多人数用透析液供給装置４０からＲＯ装置３０に流路を切り替えて、自らの装置内でＡ原液、Ｂ原液、およびＲＯ水を混合して自らが使用する透析液を作成することによって、患者に対して透析治療を継続することができること。
【００１５】
（Ｃ）さらに、図１〜３に示したように流路切替手段６０によって多人数用透析液供給装置４０とＲＯ装置３０からの流路を択一的に切替できる構造とすれば、多人数用透析液供給装置４０から透析液の供給を受ける個人用透析装置５０のうち、処方透析が必要な患者が使用する個人用透析装置に対しては図４に示すように流路を切り替えて、当該患者に適した混合比で調製した透析液を用いた透析治療を行い、その他の患者に対しては多人数用透析液供給装置４０から供給される透析液を用いた透析治療を並行して行うこともできること。
【００１６】
上記の知見に基づき、本発明者は、たとえ多人数用透析液供給装置が故障して透析液を供給することができなくなっても、患者に対して透析治療を継続することができる血液透析システムに想到した。その要旨とするところは以下のとおりである。
（１）複数台の透析装置を備えた血液透析システムにおいて、
Ａ原液供給手段、
Ｂ原液供給手段
ＲＯ水を作製するＲＯ装置、
Ａ原液供給手段及びＢ原液供給手段が接続され、透析液を作製する多人数用透析液供給装置、
前記多人数用透析液供給装置に設けられた当該装置の故障を検知する故障検知手段、
前記ＲＯ装置からのＲＯ水ラインと多人数用透析液供給装置からの透析液ラインとを切り替えるＲＯ水・透析液切替手段、
複数の個人用透析装置、及び
複数のダイアライザ
を備え、
前記個人用透析装置は
前記ＲＯ水・透析液切替手段と前記ダイアライザの透析液入口とを接続し第１送液ポンプを有する透析液供給ライン、
前記ダイアライザの透析液出口に接続され、第２送液ポンプを有する透析液廃液ライン、
前記Ａ原液供給手段に接続され、電磁弁が設けられたＡ原液ライン、
前記Ｂ原液供給手段から延び前記Ａ原液ラインに接続され、電磁弁が設けられたＢ原液ライン
前記Ａ原液ラインの前記透析液供給ラインとの前記接続点と前記Ｂ原液ラインとの接続点との間に設けられた原液ポンプ、及び
動脈側端から前記ダイアライザを経て静脈側端に血液を送る血液ポンプ、
からなり、
透析液供給が不可能になったことが前記故障検知手段により検知された場合、前記ＲＯ水・透析液切替手段によって当該多人数用透析液供給装置から前記ＲＯ装置にラインを切り替えて、前記個人用透析装置内でＡ原液、Ｂ原液、及びＲＯ水を混合して当該個人用透析装置が使用する透析液を作製することを特徴とする血液透析システム。
（２）前記多人数用透析液供給装置に少なくとも１台のコンソールが接続されていることを特徴とする前記（１）に記載の血液透析システム。
【発明の効果】
【００１７】
（イ）本発明に係る血液透析システムは、従来一般に構築されてきたセントラルシステムとは異なり、多人数用透析液供給装置と少なくとも1台の個人用透析装置を備える血液透析システムであって、各々の個人用透析装置は、Ａ原液供給手段とＢ原液供給手段に接続されるとともに流路切替手段を介して多人数用透析液供給装置とＲＯ装置に接続され、流路切替手段によって多人数用透析液供給装置とＲＯ装置からの流路を択一的に切替できる構造となっている血液透析システムである。
したがって、各々の個人用透析装置は、多人数用透析液供給装置が正常に動作しているときは、多人数用透析液供給装置から透析液の供給を受け、多人数用透析液供給装置が故障して透析液を供給することができなくなった場合には、流路切替手段によって多人数用透析液供給装置からＲＯ装置に流路を切り替えて、自らの装置内でＡ原液、Ｂ原液、およびＲＯ水を混合して自らが使用する透析液を作成することができる。
すなわち、本発明に係る血液透析システムによれば、たとえ多人数用透析液供給装置が故障して透析液を供給することができなくなったとしても、患者に対して透析治療を継続することができ、これにより患者に対して事故のない安全な透析治療を提供することができる。
【００１８】
（ロ）また、本発明に係る血液透析システムは、このように流路切替手段によって多人数用透析液供給装置とＲＯ装置からの流路を択一的に切り替えできる構造となっているので、多人数用透析液供給装置に接続される少なくとも1台の個人用透析装置のうち、処方透析が必要な患者が使用する個人用透析装置に対しては流路切替手段によって多人数用透析液供給装置からＲＯ装置に流路を切り替えて、当該患者に適した混合比で調製した透析液を用いた透析を行うことができる。
すなわち、本発明に係る血液透析システムによれば、当該システムに組み込まれた個人用透析装置を物理的にシステムから切り離すことなく、換言すると、システムの形態を一切変更することなく、個人用透析装置に流入させる流路を切り替えるだけで、患者に適した混合比で調製した透析液を用いた透析治療と、多人数用透析液供給装置から供給される透析液を用いた透析治療を並行して行うこともできる。
【発明を実施するための最良の形態】
【００１９】
以下、図１〜８を参照して、本発明を実施するための最良の形態を説明する。
図１は本発明に係る血液透析システムの一態様を示す構成図である。当該図に示すように、本発明に係る血液透析システムは、Ａ原液供給手段１０、Ｂ原液供給手段２０、ＲＯ装置３０、多人数用透析液供給装置４０、少なくとも1台の個人用透析装置５０、および流路切替手段６０を備える。
【００２０】
Ａ原液供給手段１０は、多人数用透析液供給装置４０と各々の個人用透析装置５０に接続されて、これらの装置に対してＡ原液を供給する。
Ａ原液供給手段１０としては、従来一般に構築されてきたセントラルシステムにおいて使用されるＡ原液供給手段を用いることができる。例えば、塩化ナトリウム、塩化カリウム、塩化カルシウム、塩化マグネシウム、無水酢酸ナトリウム、ブドウ糖等を含有するＡ原液を貯蔵することができるタンクまたはボトルを用いることができる。あるいは、上記成分を粉末状とした粉末剤をＡ原液として溶解する粉末型透析液原薬溶解装置を用いることができる。
なお、図１における多人数用透析液供給装置４０と各々の個人用透析装置５０には、各々が互いに独立した個別のＡ原液供給手段１０が接続されているが、本発明においては、この形態に限定されるものではない。例えば、血液透析システムが一つのＡ原液供給手段を備え、当該Ａ原液供給手段に多人数用透析液供給装置と各々の個人用透析装置が接続された形態であってもよい。
【００２１】
Ｂ原液供給手段２０は、多人数用透析液供給装置４０と各々の個人用透析装置５０に接続されて、これらの装置に対してＢ原液を供給する。
Ｂ原液供給手段２０としては、従来一般に構築されてきたセントラルシステムにおいて使用されるＢ原液供給手段を用いることができる。例えば、炭酸水素ナトリウム等を含有するＢ原液を貯蔵することができるタンクまたはボトルを用いることができる。あるいは、上記成分を粉末状とした粉末剤をＢ原液として溶解する粉末型透析液原薬溶解装置を用いることができる。
なお、図１における多人数用透析液供給装置４０と各々の個人用透析装置５０には、各々が互いに独立した個別のＢ原液供給手段２０が接続されているが、本発明においては、この形態に限定されるものではない。例えば、血液透析システムが一つのＢ原液供給手段を備え、当該Ｂ原液供給手段に多人数用透析液供給装置と各々の個人用透析装置が接続された形態であってもよい。
【００２２】
ＲＯ装置３０は、多人数用透析液供給装置４０に接続されるとともに流路切替手段６０を介して各々の個人用透析装置５０に接続されて、これらの装置に対してＲＯ水を供給する。
ＲＯ装置３０としては、ＲＯ水を精製できるものであれば特に限定されるものではなく、従来一般に構築されてきたセントラルシステムにおいて使用されるＲＯ装置を用いることができる。例えば、水道水に含まれる不純物を逆浸透法で除去することによりＲＯ水を精製する装置を用いることができる。ここで、逆浸透法とは、ＲＯ膜を介して一次側溶液に浸透圧以上の圧力を加えることにより、水成分がＲＯ膜を濾過してくる現象を利用した膜分離法であり、この方法により水道水に含まれる不純物である溶解イオン、有機物、バクテリア、パイロジェン等をほぼ完全に除去することができる。
【００２３】
多人数用透析液供給装置４０は、Ａ原液供給手段１０から供給される透析液原液であるＡ原液、Ｂ原液供給手段２０から供給される透析液原液であるＢ原液、そしてＲＯ装置３０から供給される希釈水であるＲＯ水を所定の比率で混合して複数台分の透析液を作製し、本発明に係る血液透析システムに接続される血液透析装置に対して透析液を供給する。
多人数用透析液供給装置４０としては、上記機能を果たすものであれば特に限定されるものではなく、従来一般に構築されてきたセントラルシステムにおいて使用される多人数用透析液供給装置を用いることができる。
【００２４】
個人用透析装置５０は、Ａ原液供給手段１０から供給される透析液原液であるＡ原液、Ｂ原液供給手段２０から供給される透析液原液であるＢ原液、そしてＲＯ装置３０から供給されるＲＯ水を所定の比率で混合して１台分の透析液を作製するとともに、患者からの血液を血液ポンプ５３でダイアライザ８０に送り、半透膜を介して透析液と接触させ、血液を浄化する。すなわち、個人用透析装置５０は、コンソールの機能に加え、透析液の調製機能を備えた装置である。
【００２５】
図５は個人用透析装置５０の一態様を示す構成図である。当該図に示すように個々の個人用透析装置５０は、透析液供給ライン５１、透析液排液ライン５２、および血液ポンプ５３を備え、透析液供給ライン５１には原液ポンプ５４を介してＡ原液供給手段１０とＢ原液供給手段２０が接続される。同じく、透析液供給ライン５１には流路切替手段６０を介して多人数用透析液供給装置４０とＲＯ装置３０が接続される。
【００２６】
個人用透析装置５０による透析液の作製、ならびに作製された透析液の透析液供給ライン５１への供給については、Ａ原液ライン１１とＢ原液ライン２１とに各々接続された電磁弁５５を交互に開閉することにより、Ａ原液ライン１１を流れるＡ原液とＢ原液ライン２１を流れるＢ原液を、原液ポンプ５４を介して交互に透析液供給ライン５１に注入することにより行われる。
【００２７】
したがって、多人数用透析液供給装置４０を備える本発明に係る血液透析システムにおいては、多人数用透析液供給装置４０が正常である場合には、個々の個人用透析装置５０は、図２に示すように多人数用透析液供給装置４０から透析液の供給を受けて、透析治療を行うが、この場合には、多人数用透析液供給装置４０が供給する透析液が透析液供給ライン５１に流入する流路選択を行うとともに、Ａ原液ライン１１とＢ原液ライン２１とに各々接続された電磁弁５５を閉止状態とする。
【００２８】
一方、多人数用透析液供給装置が故障して透析液を供給することができなくなった場合には、図３に示すように流路切替手段６０によって多人数用透析液供給装置４０からＲＯ装置３０に流路を切り替えて、個々の個人用透析装置５０が自らの装置内でＡ原液、Ｂ原液、およびＲＯ水を混合して自らが使用する透析液を作成するが、この場合には、ＲＯ装置３０が供給するＲＯ水が透析液供給ライン５１に流入する流路選択を行うとともに、Ａ原液ライン１１とＢ原液ライン２１とに各々接続された電磁弁５５を交互に開閉することにより、Ａ原液ライン１１を流れるＡ原液とＢ原液ライン２１を流れるＢ原液を、原液ポンプ５４を介して交互に透析液供給ライン５１に注入する。
【００２９】
なお、図５に例示した個人用透析装置５０では、静脈側血液ライン８４に静脈側チャンバー８２が接続されているが、別の態様として、さらに動脈側血液ライン８３に動脈側チャンバーが接続された態様のものでもよい。
【００３０】
以上説明したように本発明に係る血液透析システムは、従来一般に構築されてきたセントラルシステムとは異なり、多人数用透析液供給装置４０と少なくとも1台の個人用透析装置５０を備える血液透析システムであって、各々の個人用透析装置５０は、Ａ原液供給手段１０とＢ原液供給手段２０に接続されるとともに流路切替手段６０を介して多人数用透析液供給装置４０とＲＯ装置３０に接続され、流路切替手段６０によって多人数用透析液供給装置４０とＲＯ装置３０からの流路を択一的に切替できる構造となっている血液透析システムである。
【００３１】
したがって、各々の個人用透析装置５０は、多人数用透析液供給装置４０が正常に動作しているときは、図２に示すように多人数用透析液供給装置４０から透析液の供給を受け、多人数用透析液供給装置４０が故障して透析液を供給することができなくなった場合には、図３に示すように流路切替手段６０によって多人数用透析液供給装置４０からＲＯ装置３０に流路を切り替えて、自らの装置内でＡ原液、Ｂ原液、およびＲＯ水を混合して自らが使用する透析液を作成することができる。
【００３２】
すなわち、流路切替機能を備える本発明に係る血液透析システムによれば、たとえ多人数用透析液供給装置４０が故障して透析液を供給することができなくなったとしても、患者に対して透析治療を継続することができ、これにより患者に対して事故のない安全な透析治療を提供することができる。
【００３３】
また、本発明に係る血液透析システムは、このように流路切替手段６０によって多人数用透析液供給装置４０とＲＯ装置３０からの流路を択一的に切り替えできる構造となっているので、多人数用透析液供給装置４０に接続される少なくとも1台の個人用透析装置５０のうち、処方透析が必要な患者が使用する個人用透析装置５０に対しては、図４に示すように流路切替手段６０によって多人数用透析液供給装置４０からＲＯ装置３０に流路を切り替えて、当該患者に適した混合比で調製した透析液を用いた透析を行うことができる。
【００３４】
すなわち、本発明に係る血液透析システムによれば、当該システムに組み込まれた個人用透析装置５０を物理的にシステムから切り離すことなく、換言すると、システムの形態を一切変更することなく、個人用透析装置５０に流入させる流路を切り替えるだけで、患者に適した混合比で調製した透析液を用いた透析治療と、多人数用透析液供給装置４０から供給される透析液を用いた透析治療を並行して行うこともできる。
【００３５】
なお、図１〜５に例示した流路切替手段６０は、個人用透析装置５０の透析液供給ライン５１と多人数用透析液供給装置４０との流路が形成されているときは個人用透析装置５０の透析液供給ライン５１とＲＯ装置３０との流路が閉止され、反対に個人用透析装置５０の透析液供給ライン５１とＲＯ装置３０との流路が形成されているときは個人用透析装置５０の透析液供給ライン５１と多人数用透析液供給装置４０との流路が閉止される、二者択一的な流路を形成するセレクタータイプの三方弁であるが、本発明に係る血液透析システムにおいて使用することができる流路切替手段は、この形態に限定されるものではない。
【００３６】
例えば、図６に示すように個々の個人用透析装置５０が接続される透析液ライン４１とＲＯ水ライン３１の各々に電磁弁を配置して、個人用透析装置５０の透析液供給ライン５１と多人数用透析液供給装置４０との流路を形成するときは透析液ライン４１に配置した電磁弁を開くともにＲＯ水ライン３１に配置した電磁弁を閉じ、反対に個人用透析装置５０の透析液供給ライン５１とＲＯ装置３０との流路を形成するときは透析液ライン４１に配置した電磁弁を閉じるともにＲＯ水ライン３１に配置した電磁弁を開くようにしてもよい。
【００３７】
また、以上説明した本発明に係る血液透析システムは、図１〜６に例示した少なくとも1台の個人用透析装置５０を備える形態の血液透析システムであるが、図７に示すように、さらに多人数用透析液供給装置４０に少なくとも１台のコンソール７０が接続された形態であってもよい。すなわち、個人用透析装置５０とコンソール７０が並列に接続された形態であってもよい。
この形態の場合、多人数用透析液供給装置４０が故障して透析液を供給することができなくなった場合には、当該接続されたコンソール７０による透析治療は継続できなくなるが、これに並列に接続された個人用透析装置５０による透析治療は継続できるので、当該システムに組み込まれたすべての血液透析装置が一斉に使えなくなるシステムダウンを回避することができ、その技術的意義は大きい。
また、多人数用透析液供給装置４０が正常である場合には、システムの形態を一切変更することなく、個人用透析装置５０に流入させる流路を切り替えるだけで、患者に適した混合比で調製した透析液を用いた透析治療と、多人数用透析液供給装置４０から供給される透析液を用いたコンソール７０による透析治療を並行して行うこともできるので、この技術的意義についても大きい。
【００３８】
図８はコンソール７０の一態様を示す構成図である。当該図に示すようにコンソール７０も個人用透析装置５０と同様に、透析液供給ライン５１、透析液排液ライン５２、および血液ポンプ５３を備え、透析液供給ライン５１には多人数用透析液供給装置４０が接続される。そして、多人数用透析液供給装置４０から透析液の供給を受け、患者からの血液を血液ポンプ５３でダイアライザ８０に送り、半透膜を介して透析液と接触させ、血液を浄化する。
なお、図８に例示したコンソール７０では、静脈側血液ライン８４に静脈側チャンバー８２が接続されているが、別の態様として、さらに動脈側血液ライン８３に動脈側チャンバーが接続された態様のものでもよい。
【図面の簡単な説明】
【００３９】
【図１】本発明に係る血液透析システムの一態様を示す構成図である。
【図２】多人数用透析液供給装置が正常である場合の流路選択を示す図である。
【図３】多人数用透析液供給装置が異常である場合の流路選択を示す図である。
【図４】多人数用透析液供給装置が正常である場合の処方透析を示す図である。
【図５】個人用透析装置の一態様を示す構成図である。
【図６】本発明に係る血液透析システムの別の態様を示す構成図である。
【図７】本発明に係る血液透析システムのさらに別の態様を示す構成図である。
【図８】コンソールの一態様を示す構成図である。
【図９】従来技術に係る血液透析システムの一態様を示す構成図である。
【符号の説明】
【００４０】
１０  Ａ原液供給手段            １１  Ａ原液ライン
２０  Ｂ原液供給手段            ２１  Ｂ原液ライン
３０  ＲＯ装置                  ３１  ＲＯ水ライン
４０  多人数用透析液供給装置    ４１  透析液ライン
５０  個人用透析装置            ５１  透析液供給ライン
５２  透析液排液ライン          ５３  血液ポンプ
５４  原液ポンプ                ５５  電磁弁
６０  流路切替手段
７０  コンソール
８０  ダイアライザ              ８２  静脈側チャンバー
８３  動脈側血液ライン          ８４  静脈側血液ライン
８７  クランプ
Ｐ１  第１送液手段              Ｐ２  第２送液手段
Ｐ３  第３送液手段
【図１】
0005228617.tif 000002
【図２】
0005228617.tif 000003
【図３】
0005228617.tif 000004
【図４】
0005228617.tif 000005
【図５】
0005228617.tif 000006
【図６】
0005228617.tif 000007
【図７】
0005228617.tif 000008
【図８】
0005228617.tif 000009
【図９】
0005228617.tif 000010